(57)【要約】【課題】屈曲光学系を用いることにより筐体の光軸方向の長さを短くすることに加えてさらに有用な機能を持たせたカメラヘッドを提供する。【解決手段】撮影光学系が前方から入射してきた被写体光を下に向けて反射する反射光学部材１０１を備えた屈曲光学系で構成されている。また撮像素子１０２が、その反射光学部材１０１で下にむけて反射された被写体光を受光するように上向きに配置されている。そのカメラヘッド１０の筐体１０ａ下面の、撮像素子１０２背面の位置に三脚取付部１０３を設けて、カメラヘッドに三脚取付機能を持たせる。【選択図】  図２
2006078854.tif 000002
【特許請求の範囲】
【請求項１】
画像信号を受け取って信号処理を行なうカメラ本体に着脱自在に装着される、撮影光学系と撮像素子とを備え該撮像素子で得られた画像信号を前記カメラ本体に送信するカメラヘッドにおいて、
前記撮影光学系が、前方から入射してきた被写体光を下に向けて反射する反射光学部材を備え、前記撮像素子が、前記反射光学部材で下に向けて反射された被写体光を受光するように上向きに配置されたものであって、
このカメラヘッドが、さらに、このカメラヘッドの筐体下面の、前記撮像素子背面の位置に三脚取付部を備えたことを特徴とするカメラヘッド。
【請求項２】
画像信号を受け取って信号処理を行なうカメラ本体に着脱自在に装着される、撮影光学系と撮像素子とを備え該撮像素子で得られた画像信号を前記カメラ本体に送信するカメラヘッドにおいて、
前記撮影光学系が、前方から入射してきた被写体光を複数回反射させて前記撮像素子に導く複数の反射光学部材を備えたものであって、
このカメラヘッドが、さらに、このカメラヘッド筐体の下面に三脚取付部を備えたことを特徴とするカメラヘッド。
【請求項３】
前記撮影光学系が、前方から入射してきた被写体光を下に向けて反射する第１の反射光学部材と、該第１の光学部材により下向きに反射されてきた被写体光を前方に向けて反射する第２の反射光学部材とを備え、前記撮像素子が、前記第２の反射光学部材で前方に向けて反射された被写体光を受光するように後ろ向きに配置されたものであることを特徴とする請求項２記載のカメラヘッド。
【請求項４】
画像信号を受け取って信号処理を行なうカメラ本体に着脱自在に装着される、撮影光学系と撮像素子とを備え、該撮像素子で得られた画像信号を前記カメラ本体に送信するカメラヘッドにおいて、
前記撮影光学系が、前方から入射してきた被写体光を側方に向けて反射する反射光学部材を備え、前記撮像素子が、前記反射光学部材で側方に向けて反射された被写体光を受光するように横向きに配置されたものであって、
このカメラヘッドがさらに、このカメラヘッド筐体の、前記撮像素子が配置された部分に、手によるカメラ保持用のグリップが形成されたものであることを特徴とするカメラヘッド。
【発明の詳細な説明】
【技術分野】
【０００１】
本発明は、撮影光学系と撮像素子を備えたカメラヘッドに関する。
【背景技術】
【０００２】
図１は、従来の交換レンズの構成を示した図である。
【０００３】
図１には、交換レンズの外形とその交換レンズ内の複数のレンズの位置関係が示されている。
【０００４】
図１に示す交換レンズは、焦点距離６００ｍｍの望遠レンズ２１であり、この望遠レンズ２１の中には焦点距離６００ｍｍの撮影レンズを構成する複数のレンズが一列に並べられている。この望遠レンズ７０が交換レンズとしてカメラ本体に装着されて撮影が行なわれると、望遠レンズ７０が捉えた被写体がカメラ本体側の写真フィルムもしくは撮像素子に結像される。
【０００５】
ところで近年では撮像素子の小型化に伴って交換レンズ内に撮像素子を組み込むことが可能な情勢になってきている。このように交換レンズ内に撮像素子が組み込まれるようになると、図１に示すように、カメラ本体の撮像素子や写真フィルムに光軸をあわせるように交換レンズ内のレンズを直線的に配列する必要がなくなる。
【０００６】
このように直線的にレンズを配列する必要がなくなると、少なくとも一枚の反射光学部材により撮像素子に至るまでの光路を屈曲させて撮影光学系（以降屈曲光学系という）を構成することが可能となる（例えば特許文献１〜特許文献４）。
【０００７】
この屈曲光学系を用いると、反射光学部材により光路を屈曲させることによって、図１と同じ焦点距離６００ｍｍの撮影光学系を構成するための光路長を確保しつつ、交換レンズの筐体の光軸方向の長さを短くすることができる。
【特許文献１】特開平７−１６８０９６号公報
【特許文献２】特開平８−２９８７０号公報
【特許文献３】特開平８−２４８３１８号公報
【特許文献４】特開平９−２８４６１８号公報
【発明の開示】
【発明が解決しようとする課題】
【０００８】
本発明は、上記事情に鑑み、屈曲光学系を用いることにより筐体の光軸方向の長さを短くすることに加えてさらに有用な機能を持たせたカメラヘッドを提供することを目的とする。
【課題を解決するための手段】
【０００９】
上記目的を達成する本発明の第１のカメラヘッドは、画像信号を受け取って信号処理を行なうカメラ本体に着脱自在に装着される、撮影光学系と撮像素子とを備えその撮像素子で得られた画像信号を上記カメラ本体に送信するカメラヘッドにおいて、
上記撮影光学系が、前方から入射してきた被写体光を下に向けて反射する反射光学部材を備え、上記撮像素子が、上記反射光学部材で下に向けて反射された被写体光を受光するように上向きに配置されたものであって、
このカメラヘッドが、さらに、このカメラヘッドの筐体下面の、上記撮像素子背面の位置に三脚取付部を備えたことを特徴とする。
【００１０】
上記本発明の第１のカメラヘッドによれば、上記第１の光学反射部材で屈曲光学系を構成することによりこの第１のカメラヘッドの筐体の光軸方向の長さを短くすることに加えて、この第１のカメラヘッドの筐体下面の、上記撮像素子の背面の位置に三脚取付部を設けることによってこの第１のカメラヘッドに三脚取付機能を新たに持たせることができる。
【００１１】
上記目的を達成する本発明の第２のカメラヘッドは、画像信号を受け取って信号処理を行なうカメラ本体に着脱自在に装着される、撮影光学系と撮像素子とを備えその撮像素子で得られた画像信号を前記カメラ本体に送信するカメラヘッドにおいて、
上記撮影光学系が、前方から入射してきた被写体光を下に向けて反射する第１の反射光学部材と、上記第１の光学部材により下向きに反射されてきた被写体光を前方に向けて反射する第２の反射光学部材とを備え、上記撮像素子が、上記第２の反射光学部材で前方に向けて反射された被写体光を受光するように後ろ向きに配置されたものであって、
このカメラヘッドが、さらに、このカメラヘッド筐体の下面に三脚取付部を備えたことを特徴とする。
【００１２】
上記本発明の第２のカメラヘッドによれば、上記第１の光学反射部材と上記第２の光学反射部材との双方で屈曲光学系を構成することによりこの第２のカメラヘッドの筐体の光軸方向の長さを短くすることに加えて、この第２のカメラヘッドの筐体下面の、上記撮像素子の背面の位置に三脚取付部を配設することによってこの第２のカメラヘッドに三脚取付機能を新たに持たせることができる。
【００１３】
上記目的を達成する本発明の第３のカメラヘッドは、画像信号を受け取って信号処理を行なうカメラ本体に着脱自在に装着される、撮影光学系と撮像素子とを備え、その撮像素子で得られた画像信号を上記カメラ本体に送信するカメラヘッドにおいて、
上記撮影光学系が前方から入射してきた被写体光を側方に向けて反射する反射光学部材とを備え、上記撮像素子が、上記反射光学部材で側方に向けて反射された被写体光を受光するように横向きに配置されたものであって、
このカメラヘッドがさらに、このカメラヘッド筐体の、上記撮像素子が配置された部分に、手によるカメラ保持用のグリップが形成されたものであることを特徴とする。
【００１４】
上記本発明の第３のカメラヘッドによれば、上記第１の光学反射部材を用いて屈曲光学系を構成することによりこの第３のカメラヘッドの筐体の光軸方向の長さを短くすることに加えて、この第３のカメラヘッドの筐体側面の、上記撮像素子が配備された部分に、グリップを形成することによって、この第３のカメラヘッドに手によるカメラ保持機能を新たに持たせることができる。
【発明の効果】
【００１５】
以上、説明したように、屈曲光学系を用いることにより筐体の光軸方向の長さを短くすることに加えてさらに有用な機能を持たせたカメラヘッドが実現する。
【発明を実施するための最良の形態】
【００１６】
以下、本発明の実施の形態について説明する。
【００１７】
図２は、カメラヘッドの構成を示す図である。
【００１８】
説明を分かりやすくするため、図２（ａ）には従来の構成を踏襲したカメラヘッド２０がカメラ本体２１に装着された状態にあるときのカメラシステム２の構成が示されており、図２（ｂ）には本発明の一実施形態としてのカメラヘッド１０がカメラ本体１１に装着された状態にあるときのカメラシステム１の構成がそれぞれ示されている。図２（ａ）、図２（ｂ）とも、カメラシステム１，２を側方から見た図が示されている。
【００１９】
図２（ａ）に示すカメラヘッド２０は、カメラヘッド内の撮像素子２０１に被写体を結像させる複数のレンズ（撮影光学系）が従来の交換レンズのように直線的に配列されているため、カメラヘッド２０の筐体２０ａの光軸方向の長さ（Ｌ）が長くなってしまっている。これに対し図２（ｂ）に示すカメラヘッド１内の撮影光学系１００が、前方から入射してきた被写体光を下に向けて反射する反射光学部材１０１を備えた屈曲光学系により構成されているため、カメラヘッド１０の筐体１０ａの光軸方向の長さが短くなっている。
【００２０】
また撮像素子１０２が、その反射光学部材１０１で下にむけて反射された被写体光を受光するように上向きに配置されていることを利用して、その上向きに配置されている撮像素子１０２の背面の位置に、かつこのカメラヘッド１０の筐体１０ａ下面の位置に三脚取付部１０３を設けて、この光軸方向の長さが短くなったカメラヘッド１０に三脚取付機能という新たな機能を持たせている。
【００２１】
この筐体１０ａの光軸方向の長さが短くなったカメラヘッド１０を三脚に固定することによって図２（ｂ）に示すカメラシステム１で安定した撮影を行なうことができるようになる。
【００２２】
以上説明したように、屈曲光学系を用いることによりカメラヘッドの筐体の光軸方向の長さを短くし、さらに新たな機能として三脚取付機能を持たせたカメラヘッドが実現される。
【００２３】
また本実施形態では、撮像素子１０２に、パッケージの周端部に設けられている、多数の電気接続用のリード１０２１が図中下方に向けて延びて設けられているものを用いることによって、パッケージ周端部よりもパッケージ中央部分の筐体の肉厚を厚くしてその肉厚を厚くした部分に三脚取付部１０３を設けるような工夫を施した例が示されている。
【００２４】
このような工夫を施すと、このカメラヘッド１０に三脚取付機能を持たせるにあたって、このカメラヘッド１０の筐体１０ａの外形をわざわざ大きくして三脚取付部１０３を設ける部分を追加することなく、三脚取付部１０３をカメラヘッド１０の筐体１０ａに効率よく設けることができる。
【００２５】
図２では、焦点距離が中距離程度の交換レンズ２２を例に挙げたが、焦点距離がもっと長くなると、一枚の反射光学部材で屈曲光学系を構成してもカメラヘッドの筐体の光軸方向の長さがさほど短くならない。そこで焦点距離が長くなってきた場合には、もう一枚光学反射部材を追加することが考えられる。
【００２６】
図３は、別のカメラヘッドを示す図である。
【００２７】
図２（ａ）、図２（ｂ）と同様、図３（ａ）には従来の構成を踏襲したカメラヘッド３０がカメラ本体３１に装着された状態にあるときのカメラシステム３の構成が示されており、図３（ｂ）には本発明の実施形態としてのカメラヘッド４０がカメラ本体４１に装着された状態にあるときのカメラシステム４の構成がそれぞれ示されている。図３（ａ）、図３（ｂ）とも、カメラシステムを側方から見た図が示されている。
【００２８】
図３（ｂ）に示すカメラヘッド４０内の撮影光学系４００は、前方から入射してきた被写体光を下に向けて反射する第１の反射光学部材４０１と、第１の反射光学部材４０１により下向きに反射されてきた被写体光を前方に向けて反射する第２の反射光学部材４０２とを備えたものであって、撮像素子４０３が、その第２の反射光学部材４０２で前方に向けて反射された被写体光を受光するように後ろ向きに配置されている。このようにすると、焦点距離が長くなってきても、カメラヘッド４０の筐体４０ａの光軸方向の長さを短くすることができる。
【００２９】
さらに、その光軸方向の長さを短くしたカメラヘッド４０の筐体４０ａの下面に新たな機能を持たせるための三脚取付部４０４が設けられている。
【００３０】
このように焦点距離が長くなってきて２枚の光学反射部材で屈曲光学系が構成された場合には、例えば２枚目の反射光学部材４０２が設けられている部分とカメラ本体４１との間に配設される部材が少ないことを利用して、その部分の筐体の肉厚を厚くすることにより、その部分に三脚取付部４０４を設けるようにすると良い。このようにしても、三脚取付部４０４をカメラヘッド４０の筐体４０ａに効率よく設けることができる。
【００３１】
なお、本実施形態では、反射光学部材を２枚持つ例を示したが、３枚以上の反射光学部材を持つ屈折光学系であっても同じように光軸方向の長さを短くし、さらに三脚取付機能を持たせることができる。
【００３２】
このように屈曲光学系を用いることによってカメラヘッド側の筐体の形状を様々に変化させることができるようになると、例えばグリップのようなものをカメラヘッドに形成することもできる。
【００３３】
図４は、別のカメラヘッドを示す図である。
【００３４】
図４（ａ）には従来の構成を踏襲したカメラヘッド５０がカメラ本体５１に装着された状態にあるときのカメラシステム５を上面から見た図が示されており、図４（ｂ）には本発明の実施形態としてのカメラヘッド６０がカメラ本体６１に装着された状態にあるときのカメラシステム６を上面から見た図がそれぞれ示されている。
【００３５】
図４（ｂ）に示すカメラヘッド６０内の撮影光学系６００が前方から入射してきた被写体光を側方に向けて反射する反射光学部材６０１とを備えたものであって、撮像素子６０２が、反射光学部材６０１で側方に向けて反射された被写体光を受光するように横向きに配置されている。さらに、このカメラヘッド６０の筐体６０１の、撮像素子６０２が配備された部分に、手によるカメラ保持用のグリップ６００ａが形成されている。
【００３６】
このように屈曲光学系を用いることによりカメラヘッド１の筐体１ａの光軸方向の長さを短くするとともに新たな機能としてカメラ保持機能を持たせたカメラヘッドが実現される。
【００３７】
この図４（ｂ）に示すカメラシステムを用いるとカメラヘッドおよびカメラ本体が持ちやすくなって、安定した撮影が行なえるようになる。
【図面の簡単な説明】
【００３８】
【図１】従来の交換レンズの外観を示す図である。
【図２】本発明の実施形態であるメラヘッドの構成を示す図である。
【図３】別の実施形態を示す図である。
【図４】別の実施形態を示す図である。
【符号の説明】
【００３９】
１０  ４０  ６０  カメラヘッド
１０ａ  ４０ａ  ６０ａ    カメラヘッドの筐体
１００  ４００  ６００  撮影光学系
１０１  ６０１  反射光学部材
４０１    第１の反射光学部材
４０２    第２の反射光学部材
１０２  ４０３  ６０２  撮像素子
１０３  ３０４  三脚取付部
６００ａ    グリップ
【図１】
2006078854.tif 000003
【図２】
2006078854.tif 000004
【図３】
2006078854.tif 000005
【図４】
2006078854.tif 000006